【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
モバイルデバイスにおいて、ダウンリンクグラントを受信することと、
前記モバイルデバイスが、前記ダウンリンクグラント内のチャネル状態情報（ＣＳＩ）トリガを検出することと、
前記ＣＳＩトリガに応答して、前記モバイルデバイスがＣＳＩフィードバックを送信することと、
を備える方法。
【請求項２】
前記モバイルデバイスにおいて、上位レイヤによって構成された送信リソースの複数のセットから送信リソースのセットを選択すること、
をさらに含む、請求項１に記載の方法。
【請求項３】
前記選択することは、
選択のために送信リソースの前記セットを指定する無線リソース制御（ＲＲＣ）信号を識別することと、
選択のために送信リソースの前記セットに関連付けられたダウンリンク制御情報（ＤＣＩ）フォーマットを識別することと、
選択のために送信リソースの前記セットに関連付けられた制御チャネルタイプを識別することと、
複数の復号候補から復号候補を識別することと、ここで、前記識別された復号候補は、選択のために送信リソースの前記セットに関連付けられる、
前記ＣＳＩフィードバックの送信のためのサブフレームを識別することと、ここで、前記識別されたサブフレームは、選択のために送信リソースの前記セットに関連付けられる、
のうちの１つまたは複数を含む、請求項２に記載の方法。
【請求項４】
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、請求項２に記載の方法。
【請求項５】
送信リソース識別情報は、
リソースロケーション、
リソース帯域幅、
変調オーダ、
ランク、および
プリコーディングインデックス
のうちの１つまたは複数を含む、請求項４に記載の方法。
【請求項６】
ＣＳＩフィードバックの送信のための前記変調オーダまたはランクのうちの少なくとも１つは固定である、請求項５に記載の方法。
【請求項７】
前記ＣＳＩトリガに応答して前記ＣＳＩフィードバックの前記送信を繰り返す回数を識別すること、
をさらに含む、請求項２に記載の方法。
【請求項８】
前記回数の各々の間に送信される前記ＣＳＩフィードバックは、
同一のタイプのＣＳＩフィードバック、および
異なるタイプのＣＳＩフィードバック
のうちの１つを含む、請求項７に記載の方法。
【請求項９】
ワイヤレス通信のために構成された装置であって、
モバイルデバイスにおいてダウンリンクグラントを受信するための手段と、
前記ダウンリンクグラント内のチャネル状態情報（ＣＳＩ）トリガを、前記モバイルデバイスによって検出するための手段と、
前記ＣＳＩトリガに応答して、前記モバイルデバイスによってＣＳＩフィードバックを送信するための手段と、
を備える装置。
【請求項１０】
前記モバイルデバイスにおいて、上位レイヤによって構成された送信リソースの複数のセットから送信リソースのセットを選択するための手段、
をさらに含む、請求項９に記載の装置。
【請求項１１】
選択するための前記手段は、
選択のために送信リソースの前記セットを指定する無線リソース制御（ＲＲＣ）信号を識別するための手段と、
選択のために送信リソースの前記セットに関連付けられたダウンリンク制御情報（ＤＣＩ）フォーマットを識別するための手段と、
選択のために送信リソースの前記セットに関連付けられた制御チャネルタイプを識別するための手段と、
複数の復号候補から復号候補を識別するための手段と、ここで、前記識別された復号候補は、選択のために送信リソースの前記セットに関連付けられる、
前記ＣＳＩフィードバックの送信のためのサブフレームを識別するための手段と、ここで、前記識別されたサブフレームは、選択のために送信リソースの前記セットに関連付けられる、
のうちの１つまたは複数を含む、請求項１０に記載の装置。
【請求項１２】
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、請求項１０に記載の装置。
【請求項１３】
前記ＣＳＩトリガに応答して前記ＣＳＩフィードバックの送信するための前記手段を繰り返す回数を識別するための手段
をさらに含む、請求項１０に記載の装置。
【請求項１４】
前記回数の各々の間に送信される前記ＣＳＩフィードバックは、
同一のタイプのＣＳＩフィードバック、および
異なるタイプのＣＳＩフィードバック
のうちの１つを含む、請求項１３に記載の装置。
【請求項１５】
請求項１乃至８のうちのいずれか１つのの方法を実行するための命令を備える、コンピュータプログラム。
【手続補正２】
【補正対象書類名】明細書
【補正対象項目名】００７５
【補正方法】変更
【補正の内容】
【００７５】
[0082]  本開示の以上の説明は、当業者が本開示を実行または使用することを可能にするために提供される。本開示に対する様々な修正は当業者には容易に明らかであり、本明細書で定義された包括的な原理は、本開示の精神または適用範囲から逸脱することなく、他の変形に適用されうる。したがって、本開示は、本明細書で説明された例および設計に制限されることを意図せず、本明細書に開示された原理および新規な特徴に合致する最も広い適用範囲が与えられるべきである。
以下に、出願当初の特許請求の範囲に記載された発明を付記する。
［Ｃ１］
ワイヤレス通信の方法であって、
モバイルデバイスにおいて、ダウンリンクグラントを受信することと、
前記モバイルデバイスが、前記ダウンリンクグラント内のチャネル状態情報（ＣＳＩ）トリガを検出することと、
前記ＣＳＩトリガに応答して、前記モバイルデバイスがＣＳＩフィードバックを送信することと、
を備える方法。
［Ｃ２］
前記モバイルデバイスにおいて、上位レイヤによって構成された送信リソースの複数のセットから送信リソースのセットを選択すること、
をさらに含む、Ｃ１に記載の方法。
［Ｃ３］
前記選択することは、
選択のために送信リソースの前記セットを指定する無線リソース制御（ＲＲＣ）信号を識別することと、
選択のために送信リソースの前記セットに関連付けられたダウンリンク制御情報（ＤＣＩ）フォーマットを識別することと、
選択のために送信リソースの前記セットに関連付けられた制御チャネルタイプを識別することと、
複数の復号候補から復号候補を識別することと、ここで、前記識別された復号候補は、選択のために送信リソースの前記セットに関連付けられる、
前記ＣＳＩフィードバックの送信のためのサブフレームを識別することと、ここで、前記識別されたサブフレームは、選択のために送信リソースの前記セットに関連付けられる、
のうちの１つまたは複数を含む、Ｃ２に記載の方法。
［Ｃ４］
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、Ｃ２に記載の方法。
［Ｃ５］
送信リソース識別情報は、
リソースロケーション、
リソース帯域幅、
変調オーダ、
ランク、および
プリコーディングインデックス
のうちの１つまたは複数を含む、Ｃ４に記載の方法。
［Ｃ６］
ＣＳＩフィードバックの送信のための前記変調オーダまたはランクのうちの少なくとも１つは固定である、Ｃ５に記載の方法。
［Ｃ７］
前記ＣＳＩトリガに応答して前記ＣＳＩフィードバックの前記送信を繰り返す回数を識別すること、
をさらに含む、Ｃ２に記載の方法。
［Ｃ８］
前記数は、
所定の数、および
設定された数
のうちの１つである、Ｃ７に記載の方法。
［Ｃ９］
前記回数の各々の間に送信される前記ＣＳＩフィードバックは、
同一のタイプのＣＳＩフィードバック、および
異なるタイプのＣＳＩフィードバック
のうちの１つを含む、Ｃ７に記載の方法。
［Ｃ１０］
前記ダウンリンクグラント内の前記ＣＳＩトリガによってトリガされた前記ＣＳＩフィードバックと、前記モバイルデバイスに対してスケジューリングされた他のアップリンク信号との衝突を検出することと、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること
のうちの１つを行うことと、
をさらに含む、Ｃ１に記載の方法。
［Ｃ１１］
前記他のアップリンク信号内の任意の周期的ＣＳＩをドロップすること、
をさらに含む、Ｃ１１に記載の方法。
［Ｃ１２］
前記検出された衝突は、アップリンクデータチャネル間の衝突であり、前記方法は、
前記ダウンリンクグラント内の前記ＣＳＩトリガによってトリガされた前記ＣＳＩフィードバックを含む前記アップリンクデータチャネルをドロップすること、
をさらに含む、Ｃ１０に記載の方法。
［Ｃ１３］
ワイヤレス通信のために構成された装置であって、
モバイルデバイスにおいてダウンリンクグラントを受信するための手段と、
前記ダウンリンクグラント内のチャネル状態情報（ＣＳＩ）トリガを、前記モバイルデバイスによって検出するための手段と、
前記ＣＳＩトリガに応答して、前記モバイルデバイスによってＣＳＩフィードバックを送信するための手段と、
を備える装置。
［Ｃ１４］
前記モバイルデバイスにおいて、上位レイヤによって構成された送信リソースの複数のセットから送信リソースのセットを選択するための手段、
をさらに含む、Ｃ１３に記載の装置。
［Ｃ１５］
選択するための前記手段は、
選択のために送信リソースの前記セットを指定する無線リソース制御（ＲＲＣ）信号を識別するための手段と、
選択のために送信リソースの前記セットに関連付けられたダウンリンク制御情報（ＤＣＩ）フォーマットを識別するための手段と、
選択のために送信リソースの前記セットに関連付けられた制御チャネルタイプを識別するための手段と、
複数の復号候補から復号候補を識別するための手段と、ここで、前記識別された復号候補は、選択のために送信リソースの前記セットに関連付けられる、
前記ＣＳＩフィードバックの送信のためのサブフレームを識別するための手段と、ここで、前記識別されたサブフレームは、選択のために送信リソースの前記セットに関連付けられる、
のうちの１つまたは複数を含む、Ｃ１４に記載の装置。
［Ｃ１６］
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、Ｃ１４に記載の装置。
［Ｃ１７］
送信リソース識別情報は、
リソースロケーション、
リソース帯域幅、
変調オーダ、
ランク、および
プリコーディングインデックス
のうちの１つまたは複数を含む、Ｃ１６に記載の装置。
［Ｃ１８］
ＣＳＩフィードバックの送信のための前記変調オーダまたはランクのうちの少なくとも１つは固定である、Ｃ１７に記載の装置。
［Ｃ１９］
前記ＣＳＩトリガに応答して前記ＣＳＩフィードバックの送信するための前記手段を繰り返す回数を識別するための手段
をさらに含む、Ｃ１４に記載の装置。
［Ｃ２０］
前記数は、
所定の数、および
設定された数
のうちの１つである、Ｃ１９に記載の装置。
［Ｃ２１］
前記回数の各々の間に送信される前記ＣＳＩフィードバックは、
同一のタイプのＣＳＩフィードバック、および
異なるタイプのＣＳＩフィードバック
のうちの１つを含む、Ｃ１９に記載の装置。
［Ｃ２２］
前記ダウンリンクグラント内の前記ＣＳＩトリガによってトリガされた前記ＣＳＩフィードバックと、前記モバイルデバイスに対してスケジューリングされた他のアップリンク信号との衝突を検出するための手段と、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること
のうちの１つを実行可能な手段と、
をさらに含む、Ｃ１３に記載の装置。
［Ｃ２３］
前記他のアップリンク信号内の任意の周期的ＣＳＩをドロップするための手段
をさらに含む、Ｃ２２に記載の装置。
［Ｃ２４］
前記検出された衝突は、アップリンクデータチャネル間の衝突であり、前記装置は、
前記ダウンリンクグラント内の前記ＣＳＩトリガによってトリガされた前記ＣＳＩフィードバックを含む前記アップリンクデータチャネルをドロップするための手段
をさらに含む、Ｃ２２に記載の装置。
［Ｃ２５］
非一時的コンピュータ可読媒体を備えるコンピュータプログラム製品であって、
前記非一時的コンピュータ可読媒体はプログラムコードを記録しており、前記プログラムコードは、コンピュータによって実行されると、
モバイルデバイスにおいてダウンリンクグラントを受信することと、
前記ダウンリンクグラント内のチャネル状態情報（ＣＳＩ）トリガを、前記モバイルデバイスによって検出することと、
前記ＣＳＩトリガに応答して、前記モバイルデバイスによってＣＳＩフィードバックを送信することと、
を前記コンピュータに行わせる、コンピュータプログラム製品。
［Ｃ２６］
前記モバイルデバイスにおいて、上位レイヤによって構成された送信リソースの複数のセットから送信リソースのセットを選択すること
をコンピュータに行わせるプログラムコードをさらに含む、Ｃ２５に記載のコンピュータプログラム製品。
［Ｃ２７］
前記ダウンリンクグラント内の前記ＣＳＩトリガによってトリガされた前記ＣＳＩフィードバックと、前記モバイルデバイスに対してスケジューリングされた他のアップリンク信号との衝突を検出することと、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること、
のうちの１つを行うことと、
を前記コンピュータに行わせるプログラムコードをさらに含む、Ｃ２５に記載のコンピュータプログラム製品。
［Ｃ２８］
ワイヤレス通信のために構成された装置であって、
少なくとも１つのプロセッサと、
前記少なくとも１つのプロセッサに結合されたメモリと、
を備え、前記少なくとも１つのプロセッサは、
モバイルデバイスにおいてダウンリンクグラントを受信することと、
前記ダウンリンクグラント内のチャネル状態情報（ＣＳＩ）トリガを、前記モバイルデバイスによって検出することと、
前記ＣＳＩトリガに応答して、前記モバイルデバイスによってＣＳＩフィードバックを送信することと、
を行うように構成される、装置。
［Ｃ２９］
前記モバイルデバイスにおいて、上位レイヤによって構成された送信リソースの複数のセットから送信リソースのセットを選択すること
を行うような前記少なくとも１つのプロセッサの構成をさらに含む、Ｃ２８に記載の装置。
［Ｃ３０］
前記ダウンリンクグラント内の前記ＣＳＩトリガによってトリガされた前記ＣＳＩフィードバックと、前記モバイルデバイスに対してスケジューリングされた他のアップリンク信号との衝突を検出することと、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること、のうちの１つを行うことと、
を行うような、前記少なくとも１つのプロセッサの構成をさらに含む、Ｃ２８に記載の装置。